【手続補正書】
【提出日】平成26年5月26日(2014.5.26)
【手続補正１】
【補正対象書類名】明細書
【補正対象項目名】発明の名称
【補正方法】変更
【補正の内容】
【発明の名称】画像処理方法および画像処理装置
【手続補正２】
【補正対象書類名】明細書
【補正対象項目名】０００１
【補正方法】変更
【補正の内容】
【０００１】
本発明は、画像処理方法および画像処理装置に関し、詳しくは、インクを吐出する複数のノズル間の吐出量のばらつきに起因した濃度むらを低減するための画像処理に関するものである。
【手続補正３】
【補正対象書類名】明細書
【補正対象項目名】０００６
【補正方法】変更
【補正の内容】
【０００６】
本発明は、複数種類のインクを用いて画像を記録する場合に、複数のノズル間の記録特性のばらつきに起因して生じる色ずれを低減することが可能な画像処理方法および画像処理装置を提供することを目的とする。
【手続補正４】
【補正対象書類名】明細書
【補正対象項目名】０００７
【補正方法】変更
【補正の内容】
【０００７】
そのために本発明では、複数のノズルからインクを吐出することにより、記録媒体上の単位領域に複数色のインクを用いて画像を記録するための画像処理方法であって、前記単位領域の記録に用いるノズルの吐出特性を、インク色毎に取得する取得工程と、前記複数色のインクで形成される画像の色を示すデータの各成分をまとめて補正するための複数の補正パラメータの中から、前記取得工程において取得されたインク色毎の前記吐出特性の組合せに基づいて補正パラメータを決定する決定工程と、前記決定工程において決定された補正パラメータに基づいて、前記画像データを補正する補正工程と、を備えることを特徴とする。
【手続補正５】
【補正対象書類名】特許請求の範囲
【補正対象項目名】全文
【補正方法】変更
【補正の内容】
【特許請求の範囲】
【請求項１】
複数のノズルからインクを吐出することにより、記録媒体上の単位領域に複数色のインクを用いて画像を記録するための画像処理方法であって、
前記単位領域の記録に用いるノズルの吐出特性を、インク色毎に取得する取得工程と、
前記複数色のインクで形成される画像の色を示すデータの各成分をまとめて補正するための複数の補正パラメータの中から、前記取得工程において取得されたインク色毎の前記吐出特性の組合せに基づいて補正パラメータを決定する決定工程と、
前記決定工程において決定された補正パラメータに基づいて、前記画像データを補正する補正工程と、
を備えることを特徴とする画像処理方法。
【請求項２】
前記取得工程において、インク色毎の測定用画像を測定した測定結果に基づいて、インク色毎の前記吐出特性を取得することを特徴とする請求項１に記載の画像処理方法。
【請求項３】
前記複数の補正パラメータは、互いに異なる前記複数色のインクの前記吐出特性の組合せにそれぞれ対応することを特徴とする請求項１または２に記載の画像処理方法。
【請求項４】
前記吐出特性は、ノズルから吐出される吐出量に関する情報であることを特徴とする請求項１から３のいずれか１項に記載の画像処理方法。
【請求項５】
前記吐出量に関する情報は、複数のレベルで表現されるランクであることを特徴とする請求項４に記載の画像処理方法。
【請求項６】
前記複数の補正パラメータは、メモリに保持されており、
前記取得工程において取得されたインク色毎の前記吐出特性の組合せが前記メモリに保持された前記複数のパラメータに対応する組合せではない場合、前記決定工程において、取得された前記吐出特性の組合せと前記メモリに保持された前記複数のパラメータのうちの一部を用いた補間演算により、前記補正パラメータを決定することを特徴とする請求項１から５のいずれか１項に記載の画像処理方法。
【請求項７】
前記取得工程において、前記記録媒体上の複数の前記単位領域それぞれについて前記吐出特性を取得し、前記決定工程において、前記複数の単位領域それぞれについて補正パラメータを決定し、前記補正工程において、前記複数の単位領域それぞれについて、対応する画像データを補正することを特徴とする請求項１から６のいずれか１項に記載の画像処理方法。
【請求項８】
前記補正パラメータは、前記複数の単位領域間における、前記複数色のインクで形成される画像の色差を低減させるためのパラメータであることを特徴とする請求項７に記載の画像処理方法。
【請求項９】
前記複数の補正パラメータは、３成分で表されたデータを、３成分で表されたデータに補正するためのパラメータであることを特徴とする請求項１から８のいずれか１項に記載の画像処理方法。
【請求項１０】
前記複数の補正パラメータは、入力されたＲ，Ｇ，Ｂデータを補正してＲ，Ｇ，Ｂデータを出力するためのパラメータであることを特徴とする請求項１から９のいずれか１項に記載の画像処理方法。
【請求項１１】
前記複数の補正パラメータは、入力されたＲ，Ｇ，Ｂデータを補正して、前記複数色のインクにそれぞれ対応した複数成分のデータを出力するためのパラメータであることを特徴とする請求項１から８のいずれか１項に記載の画像処理方法。
【請求項１２】
前記測定用画像を測定することにより測定結果を取得する第２取得工程をさらに備えることを特徴とする請求項２に記載の画像処理方法。
【請求項１３】
前記測定用画像を記録する記録工程をさらに備えることを特徴とする請求項２または１２に記載の画像処理方法。
【請求項１４】
前記複数色のインクの各色に対応する複数のノズル列が配列され、前記複数のノズル列のノズルが配列する方向と交差する方向への、前記複数のノズル列と前記記録媒体との相対的な走査により前記画像が記録されることを特徴とする請求項１から１３のいずれか１項に記載の画像処理方法。
【請求項１５】
複数のノズルからインクを吐出することにより、記録媒体上の単位領域に複数色のインクを用いて画像を記録するための画像処理装置であって、
前記単位領域の記録に用いるノズルの吐出特性を、インク色毎に取得する取得手段と、
前記複数色のインクで形成される画像の色を示すデータの各成分をまとめて補正するための複数の補正パラメータの中から、前記取得手段により取得されたインク色毎の前記吐出特性の組合せに基づいて補正パラメータを決定する決定手段と、
前記決定手段により決定された補正パラメータに基づいて、前記画像データを補正する補正手段と、
を備えることを特徴とする画像処理装置。
【請求項１６】
前記取得手段は、インク色毎の測定用画像を測定した測定結果に基づいて、インク色毎の前記吐出特性を取得することを特徴とする請求項１５に記載の画像処理装置。
【請求項１７】
前記複数の補正パラメータは、互いに異なる前記複数色のインクの前記吐出特性の組合せにそれぞれ対応することを特徴とする請求項１５または１６に記載の画像処理装置。
【請求項１８】
前記吐出特性は、ノズルから吐出される吐出量に関する情報であることを特徴とする請求項１５から１７のいずれか１項に記載の画像処理装置。
【請求項１９】
前記吐出量に関する情報は、複数のレベルで表現されるランクであることを特徴とする請求項１８に記載の画像処理装置。
【請求項２０】
前記複数の補正パラメータは、メモリに保持されており、
前記取得手段により取得されたインク色毎の前記吐出特性の組合せが前記メモリに保持された前記複数のパラメータに対応する組合せではない場合、前記決定手段は、取得された前記吐出特性の組合せと前記メモリに保持された前記複数のパラメータのうちの一部を用いた補間演算により、前記補正パラメータを決定することを特徴とする請求項１５から１９のいずれか１項に記載の画像処理装置。
【請求項２１】
前記取得手段は、前記記録媒体上の複数の前記単位領域それぞれについて前記吐出特性を取得し、前記決定手段は、前記複数の単位領域それぞれについて補正パラメータを決定し、前記補正手段は、前記複数の単位領域それぞれについて、対応する画像データを補正することを特徴とする請求項１５から２０のいずれか１項に記載の画像処理装置。
【請求項２２】
前記補正パラメータは、前記複数の単位領域間における、前記複数色のインクで形成される画像の色差を低減させるためのパラメータであることを特徴とする請求項２１に記載の画像処理装置。
【請求項２３】
前記複数の補正パラメータは、３成分で表されたデータを、３成分で表されたデータに補正するためのパラメータであることを特徴とする請求項１５から２２のいずれか１項に記載の画像処理装置。
【請求項２４】
前記複数の補正パラメータは、入力されたＲ，Ｇ，Ｂデータを補正してＲ，Ｇ，Ｂデータを出力するためのパラメータであることを特徴とする請求項１５から２３のいずれか１項に記載の画像処理装置。
【請求項２５】
前記複数の補正パラメータは、入力されたＲ，Ｇ，Ｂデータを補正して、前記複数色のインクにそれぞれ対応した複数成分のデータを出力するためのパラメータであることを特徴とする請求項１５から２２のいずれか１項に記載の画像処理装置。
【請求項２６】
前記測定用画像を測定することにより測定結果を取得する第２取得手段をさらに備えることを特徴とする請求項１６に記載の画像処理装置。
【請求項２７】
前記測定用画像を記録する記録制御手段をさらに備えることを特徴とする請求項１６または２６に記載の画像処理装置。
【請求項２８】
前記複数色のインクの各色に対応する複数のノズル列が配列され、前記複数のノズル列のノズルが配列する方向と交差する方向への、前記複数のノズル列と前記記録媒体との相対的な走査により前記画像が記録されることを特徴とする請求項１５から２７のいずれか１項に記載の画像処理装置。